(57)【要約】      （修正有）【課題】振動モータにおいて、回転時に回転軸に発生する芯ブレ等で偏心錘が振れ回ることにより発生する回転ロスを防ぎ、動作制御精度を向上させる、振動モータと偏心錘との組付け構造。【解決手段】固定子１と、固定子１に固定されて突出した固定軸３と、固定子１を覆うように配置し固定軸３に軸受１１、１２を介して回転可能に支持されたロータケース４及び偏心錘２０等からなる回転子１０を有する。固定軸３に回転子１０を回転可能に支持している為、軸の芯ブレが発生せず、偏心錘２０の振れ回りを抑えることで回転ロスを抑えることができる。また、回転子１０の重心Ｗの位置が、固定軸３の回転子１０を支持する軸受１１、１２に挟まれた範囲の内に含まれる安定した状態になっているので、偏心錘２０の振れ回りによる回転ロスを防ぐことができる。【選択図】図２
2014193451.tif 000002
【特許請求の範囲】
【請求項１】
駆動用コイルが巻回された固定子と、前記固定子に固定されて突出した固定軸と、前記固定子を覆うように配置したロータケースと、前記ロータケースに固定された偏心錘を有する振動モータであり、
前記偏心錘が、前記固定軸に軸受を介して回転可能に支持されたことを特徴とする振動モータ。
【請求項２】
請求項１に記載の振動モータにおいて、前記偏心錘は、前記固定軸に直接接触して回転可能に支持されることを特徴とする振動モータ。
【請求項３】
請求項２に記載の振動モータにおいて、前記偏心錘は、前記固定軸に対向する面全体を直接接触させて回転可能に支持されることを特徴とする振動モータ。
【請求項４】
請求項１乃至３に記載の振動モータにおいて、前記固定軸の前記偏心錘が支持される側の一端と、前記固定軸の他端又は固定子を支持する、保持枠を有することを特徴とする振動モータ。
【発明の詳細な説明】
【技術分野】
【０００１】
本発明は、携帯電話の着信報知等に使用される振動モータに関し、特に振動モータと偏心錘との組付け構造に関する。
【背景技術】
【０００２】
振動モータは、モータ本体より突出した回転軸の一端に偏心錘を固定し、モータの回転により回転軸と共に偏心錘が回転し振動を得る構造が一般的に知られているが、このような振動モータに対して、回転数制御などの動作制御精度に対する要求が年々高くなってきている。
【０００３】
このような動作制御精度の要求に応える手段の一つとして、特開２００３−３３３７７３のように、振動モータのモータ本体に、制御に有利なブラシレスモータを採用する方法がある。
【先行技術文献】
【特許文献】
【０００４】
【特許文献１】特開平２００３−３３３７７３
【発明の概要】
【発明が解決しようとする課題】
【０００５】
しかしながら、このようなブラシレスモータを採用した振動モータにおいても、モータ本体より突出した回転軸の一端に偏心錘を固定し、回転軸を回転させることで振動を発生させる構造の為、回転軸を支持する軸受のクリアランスにより回転軸に芯ブレが発生し、回転時に偏心錘が振れ回ることによる回転ロスが発生してしまい、なお動作制御精度向上の妨げとなっていた。
【０００６】
また、偏心錘をモータ本体から突出した回転軸の一端に固定する構造の為、偏心錘を含む回転部分の重心が、回転軸の軸受により支持される範囲又は軸受に挟まれた範囲、の外に位置する不安定な状態になっており、この点も偏心錘の振れ回りによる回転ロスの一因となっていた。
【課題を解決するための手段】
【０００７】
上記課題を解決する為、本発明に係る振動モータは、駆動用コイルが巻回された固定子と、この固定子に固定されて突出した固定軸と、一方が開放され固定子を覆うように配置されたロータケースと、このロータケースの内側に固定子に対向するように固定された駆動マグネットと、このロータケースに固定された偏心錘を有しており、この偏心錘は、固定軸に対し軸受を介して回転可能に支持されている。
【０００８】
ロータケースと駆動マグネットと偏心錘は回転子として一体形成されており、駆動用コイルから発生させた磁界を駆動マグネットに作用させることで、回転動作制御が行われる。
【０００９】
このような振動モータの構造では、固定子によって固定された固定軸に、偏心錘を含む回転子を回転可能に支持している為、軸の芯ブレが発生せず、偏心錘の振れ回りを抑えることで回転ロスを抑えることができる。また、固定軸に回転子を支持させる構造の為、回転子の重心の位置が、固定軸の回転子を支持する軸受の範囲又は軸受に挟まれた範囲、の内に含まれる安定した状態になっているので、この点からも、偏心錘の振れ回りによる回転ロスを防ぐことができる。
【００１０】
本発明に係る振動モータは、偏心錘を、例えば含浸メタル材で形成し、軸受を使用せずに、偏心錘自体に軸受としての機能を持たせ、固定軸に直接接触させて回転可能に支持させる構造を採用しても良い。この場合、偏心錘が軸受も兼ねるので部品点数を削減することができる。また、偏心錘の固定軸に対向する面全体を固定軸に直接接触させ、支持される構成を採用することも可能であり、この場合、偏心錘の振れ回りをより一層防ぐことができる。
【００１１】
本発明に係る振動モータは、さらに、固定軸の偏心錘が支持される側の一端と、固定軸の他端側又は固定子を支持する、保持枠を有する構造を採用してもよい。この場合、偏心錘の両側が固定される為、偏心錘の振れ回りを更に一層防ぐことができる。
【発明の効果】
【００１２】
本発明に係る振動モータは、回転時の芯ブレを防止し、偏心錘の振れ回りを抑えることで回転ロスを抑えることができる。また、回転子の重心の位置が、固定軸の回転子を支持する軸受の範囲又は軸受に挟まれた範囲、の内に含まれることからも、偏心錘の振れ回りによる回転ロスを防ぐことができる。
【００１３】
また、偏心錘自体を軸受として固定軸に直接接触させて回転可能に支持させる構造により、部品点数を削減することができる。さらに、偏心錘の固定軸に対向する面全体を固定軸に直接接触させることで、偏心錘の振れ回りをより一層防ぐことができる。
【００１４】
さらに、固定軸の一端と、固定軸の他端側又は固定子を支持する、保持枠を有する構造により、偏心錘の両側を固定し、偏心錘の振れ回りを更に一層防ぐことができる。
【図面の簡単な説明】
【００１５】
【図１】本発明の実施例１に係る振動モータの斜視図である。
【図２】同振動モータの縦断面図である。
【図３】同振動モータの組立斜視図である。
【図４】本発明の実施例２に係る振動モータの縦断面図である。
【発明を実施するための形態】
【００１６】
次に、本発明の実施形態を添付図面に基いて説明する。
【実施例１】
【００１７】
図１は本発明の実施例１に係る振動モータの斜視図、図２は同振動モータの縦断面図、図３は同振動モータの組立斜視図である。
【００１８】
本発明の振動モータは、駆動用コイル２が巻回された固定子１と、固定子１に固定され突出した固定軸３と、一方が開放され固定子１を覆うように配置されたロータケース４と、このロータケース４の内側に固定子１に対向するように固定された駆動マグネット５と、このロータケース４に固定された偏心錘２０を有しており、この偏心錘２０は、固定軸３に対し軸受１１、１２を介して回転可能に支持されている。
【００１９】
ロータケース４と駆動マグネット５と偏心錘２０は回転子１０として一体形成されており、駆動用コイル２から発生させた磁界を駆動マグネット５に作用させることで、回転動作制御が行われる。なお、図中の１３は固定子１と回転子１０の間に介在させたワッシャーであり、１４は固定子１の分銅２０とは反対側の端面に固定され固定軸３が貫通されたエンドブラケットであり、１５は振動モータに電力を供給するリード線である。また、３０は、固定軸３の両端を支持する保持枠である。
【００２０】
固定軸３は、固定子１によって固定され、偏心錘２０を含む回転子１０を回転可能に支持している為、軸の芯ブレが発生せず、偏心錘２０の振れ回りを抑えることで回転ロスを抑えることができる。また、固定軸３自身は回転せずに回転子１０を回転可能に支持させる構造の為、回転子１０の重心Ｗの位置が、固定軸３の回転子１０を支持する軸受１１、１２に挟まれた範囲の内に含まれる安定した状態になっているので、この点からも、偏心錘２０の振れ回りによる回転ロスを防ぐことができる。
【００２１】
保持枠３０は、固定軸３の偏心錘２０が支持される側の一端と、反対側の他端を支持しているので、固定子１と保持枠３０により、偏心錘２０の両側にて固定軸３が支持固定されるため、偏心錘２０の振れ回りを更に一層防ぐことができる。
【００２２】
本実施例では、偏心錘２０を固定軸３に対し軸受１１、１２を介して回転可能に支持する構成を説明したが、ロータケース４を軸受１１、１２の一部に回転可能に支持する構成を採用しても良いし、ロータケース４を偏心錘２０と軸受１１、１２の間に介在させる構成を採用しても良い。
【実施例２】
【００２３】
図４は本発明の実施例２に係る振動モータの縦断面図である。なお、実施例１と同構造の部分には同じ符号を使用し、その説明は省略する。
【００２４】
本実施例が実施例１と異なる部分は、偏心錘２０’であり、偏心錘２０’を、例えば含浸メタル材で形成し、実施例１の軸受１１、１２に該当する位置に支持部２１、２２を偏心錘２０’から一体成形し、固定軸３に偏心錘２０’（回転子１０’）が直接接触して回転可能に支持されている。
【００２５】
偏心錘２０’自体を軸受として固定軸３に直接接触させて回転可能に支持させる構造なので、偏心錘２０’が軸受も兼ねることにより、部品点数を削減することができる。
【００２６】
なお、支持部２１、２２はどちらか一方を実施例１のような軸受に置き換えることも可能である。この場合、偏心錘２０’の成形を容易にすることができる。
【００２７】
また、支持部２１、２２の代わりに、偏心錘２０’の固定軸３に対向する面全体を固定軸３に直接接触し、支持される構成を採用することも可能である。この場合、固定軸３に対する偏心錘２０’の支持面積が大きくなるので、偏心錘の振れ回りをより一層防ぐことができる。
【００２８】
なお、本発明は上記各実施例に限定されるものではなく、本発明の目的を損なわない範囲で適宜構造の変更が可能である。
【符号の説明】
【００２９】
１…固定子
２…駆動用コイル
３…固定軸
４…ロータケース
５…駆動マグネット
１０、１０’…回転子
１１、１２…軸受
１３…ワッシャー
１４…エンドブラケット
１５…リード線
２０、２０’…偏心錘
２１、２２…支持部
３０…保持枠
Ｗ…重心
【図１】
2014193451.tif 000003
【図２】
2014193451.tif 000004
【図３】
2014193451.tif 000005
【図４】
2014193451.tif 000006